(57)【要約】 【課題】透過率及び視認性が向上し、表示品質が向上した表示装置を提供する。【解決手段】該表示装置は、タイミング制御回路及び表示パネルを含む。タイミング制御回路は、第１フレームセットに対応する第１入力映像データに基づいて、第１出力映像データを発生する。表示パネルは、複数のピクセルを含み、第１フレームセットの間に、第１出力映像データに基づいて、第１出力映像を表示する。第１フレームセットは、互いに異なる期間を有する第１フレーム及び第２フレームからなる。第１出力映像は、第１フレームの間に表示される第１映像、及び第２フレームの間に表示され、第１映像と異なる階調を有する第２映像からなる。【選択図】図２
2017009987.tif 000002
【特許請求の範囲】
【請求項１】
第１フレームセットに対応する第１入力映像データに基づいて、第１出力映像データを発生させるタイミング制御回路と、
複数のピクセルを含み、前記第１フレームセットの間に、前記第１出力映像データに基づいて第１出力映像を表示する表示パネルを含み、
前記第１フレームセットは、互いに異なる期間を有する第１フレーム及び第２フレームからなり、
前記第１出力映像は、前記第１フレームの間に表示される第１映像、及び前記第２フレームの間に表示され、前記第１映像と異なる階調を有する第２映像からなることを特徴とする表示装置。
【請求項２】
前記第１フレームと前記第２フレームとは、連続することを特徴とする請求項１に記載の表示装置。
【請求項３】
前記第１フレームの間に、前記表示パネルに含まれる液晶に対する立ち上がり応答が行われ、前記第２フレームの間に、前記液晶に対する立ち下がり応答が行われることを特徴とする請求項１に記載の表示装置。
【請求項４】
前記第１フレームの期間は、前記第２フレームの期間よりも長いことを特徴とする請求項３に記載の表示装置。
【請求項５】
前記第１フレームの期間は、前記第２フレームの期間よりも短いことを特徴とする請求項３に記載の表示装置。
【請求項６】
前記タイミング制御回路は、前記液晶に対する立ち上がり応答を補償するために、前記第１入力映像データに対するダイナミックキャパシタンス補償（Ｄｙｎａｍｉｃ  Ｃａｐａｃｉｔａｎｃｅ  Ｃｏｍｐｅｎｓａｔｉｏｎ、ＤＣＣ）を行うことを特徴とする請求項５に記載の表示装置。
【請求項７】
前記第１フレームの間に、前記複数のピクセルのうち、第１ピクセルに提供される第１データ電圧は、第１ガンマ曲線に基づいて発生し、前記第２フレームの間に、前記第１ピクセルに提供される第２データ電圧は、前記第１ガンマ曲線と異なる第２ガンマ曲線に基づいて発生することを特徴とする請求項１に記載の表示装置。
【請求項８】
前記第１データ電圧により、前記第１ピクセルに表示される第１部分映像の輝度は、前記第２データ電圧により、前記第１ピクセルに表示される第２部分映像の輝度よりも高いことを特徴とする請求項７に記載の表示装置。
【請求項９】
共通電圧に対する前記第１データ電圧の極性は、前記第２データ電圧の極性と異なることを特徴とする請求項７に記載の表示装置。
【請求項１０】
第１フレームセットに対応する第１入力映像データに基づいて、第１出力映像データを発生するタイミング制御回路と、
複数のピクセルを含み、前記第１フレームセットの間に、前記第１出力映像データに基づいて、第１出力映像を表示する表示パネルを含み、
前記第１フレームセットは、第１フレーム、前記第１フレームと異なる期間を有する第２フレーム、前記第２フレームと異なる期間を有する第３フレーム、及び前記第３フレームと異なる期間を有する第４フレームからなり、
前記第１出力映像は、前記第１フレームの間に表示される第１映像、前記第２フレームの間に表示され、前記第１映像と異なる階調を有する第２映像、前記第３フレームの間に表示され、前記第２映像と異なる階調を有する第３映像、及び前記第４フレームの間に表示され、前記第３映像と異なる階調を有する第４映像からなることを特徴とする表示装置。
【発明の詳細な説明】
【技術分野】
【０００１】
本発明は、表示装置に関し、より詳しくは、表示品質が改善可能な表示装置に関する。
【背景技術】
【０００２】
一般に、液晶表示装置は、ピクセル電極を有する第１基板と、共通電極を有する第２基板と、前記基板の間に介在する液晶層とを含む。前記２つの電極間に電圧を与えて液晶層内に電界を生成し、この電界の強度を調節して液晶層を通過する光の透過率を調節することで、所望する画像を得ることができる。
【０００３】
近年には、１つのフレームセットを少なくとも２つの連続（ｃｏｎｓｅｃｕｔｉｖｅ、時間的に連続）するフレームに分割し、各々のフレームで表示される映像を組み合わせて、１つのフレームセットの間に、１つの出力映像を表示する時間分割駆動（時間的ガンマミキシング、Ｔｅｍｐｏｒａｌ  Ｇａｍｍａ  Ｍｉｘｉｎｇ、  ＴＧＭ）方式が研究されている。しかし、ＴＧＭ方式で動作する液晶表示装置では、ムービングアーチファクト（ｍｏｖｉｎｇ  ａｒｔｉｆａｃｔ）、及び又はフリッカ（ｆｌｉｃｋｅｒ）などの問題が生じることがある。
【発明の概要】
【発明が解決しようとする課題】
【０００４】
本発明の目的は、透過率及び視認性が向上し、表示品質が向上した表示装置を提供することにある。
【０００５】
本発明の他の目的は、前記表示装置の駆動方法を提供することにある。
【課題を解決するための手段】
【０００６】
前記目的を達成するために、本発明の実施例による表示装置は、タイミング制御回路及び表示パネルを含む。前記タイミング制御回路は、第１フレームセットに対応する第１入力映像データに基づいて、第１出力映像データを発生する。前記表示パネルは、複数のピクセルを含み、前記第１フレームセットの間に前記第１出力映像データに基づいて、第１出力映像を表示する。前記第１フレームセットは、互いに異なる期間（ｄｕｒａｔｉｏｎ）を有する第１フレーム及び第２フレームからなる。前記第１出力映像は、前記第１フレームの間に表示される第１映像、及び前記第２フレームの間に表示され、前記第１映像と異なる階調を有する第２映像からなる。
【０００７】
１実施例において、前記第１フレームと前記第２フレームとは、連続する。
【０００８】
１実施例において、前記第１フレームの間に、前記表示パネルに含まれる液晶に対する立ち上がり（ｒｉｓｉｎｇ）応答が行われ、前記第２フレームの間に、前記液晶に対する立ち下がり（ｆａｌｌｉｎｇ）応答が行われる。
【０００９】
１実施例において、前記第１フレームの期間は、前記第２フレームの期間よりも長い。
【００１０】
１実施例において、前記第１フレームの期間は、前記第２フレームの期間よりも短い。
【００１１】
１実施例において、前記タイミング制御回路は、前記液晶に対する立ち上がり応答を補償するために、前記第１入力映像データに対するダイナミックキャパシタンス補償（Ｄｙｎａｍｉｃ  Ｃａｐａｃｉｔａｎｃｅ  Ｃｏｍｐｅｎｓａｔｉｏｎ、ＤＣＣ）を行う。
【００１２】
１実施例において、前記第１フレームの間に、前記複数のピクセルのうち、第１ピクセルに提供される第１データ電圧は、第１ガンマ曲線に基づいて発生し、前記第２フレームの間に前記第１ピクセルに提供される第２データ電圧は、前記第１ガンマ曲線と異なる第２ガンマ曲線に基づいて発生する。
【００１３】
前記第１データ電圧により前記第１ピクセルに表示される第１部分映像の輝度は、前記第２データ電圧により前記第１ピクセルに表示される第２部分映像の輝度よりも高い。
【００１４】
前記第１データ電圧の極性は、前記第２データ電圧の極性と異なる。
【００１５】
１実施例において、前記タイミング制御回路は、前記第１フレームセット以後の第２フレームセットに対応する第２入力映像データに基づいて、第２出力映像データを更に発生する。前記表示パネルは、前記第２フレームセットの間に、前記第２出力映像データに基づいて、第２出力映像を更に表示する。前記第２フレームセットは、互いに異なる期間を有する第３フレーム及び第４フレームからなる。前記第２出力映像は、前記第３フレームの間に表示される第３映像、及び前記第４フレームの間に表示され、前記第３映像と異なる階調を有する第４映像からなる。
【００１６】
１実施例において、前記第１及び第３フレームの間に、前記複数のピクセルのうち、第１ピクセルに提供される第１及び第３データ電圧は、第１ガンマ曲線に基づいて各々発生し、前記第２及び第４フレームの間に、前記第１ピクセルに提供される第２及び第４データ電圧は、前記第１ガンマ曲線と異なる第２ガンマ曲線に基づいて各々発生する。
【００１７】
１実施例において、前記第１及び第４フレームの間に、前記複数のピクセルのうち、第１ピクセルに提供される第１及び第４データ電圧は、第１ガンマ曲線に基づいて各々発生し、前記第２及び第３フレームの間に、前記第１ピクセルに提供される第２及び第３データ電圧は、前記第１ガンマ曲線と異なる第２ガンマ曲線に基づいて、各々発生する。
【００１８】
１実施例において、前記複数のピクセルの各々は、第１サブピクセル及び第２サブピクセルを含む。
【００１９】
前記第１サブピクセルに表示される第１部分映像、及び前記第２サブピクセルに表示される第２部分映像は、同一のガンマ曲線に基づくか、互いに異なるガンマ曲線に基づく。
【００２０】
前記目的を達成するために、本発明の実施例による表示装置は、タイミング制御回路及び表示パネルを含む。前記タイミング制御回路は、第１フレームセットに対応する第１入力映像データに基づいて、第１出力映像データを発生する。前記表示パネルは、複数のピクセルを含み、前記第１フレームセットの間に、前記第１出力映像データに基づいて、第１出力映像を表示する。前記第１フレームセットは、第１フレーム、前記第１フレームと異なる期間を有する第２フレーム、前記第２フレームと異なる期間を有する第３フレーム、及び前記第３フレームと異なる期間を有する第４フレームからなる。前記第１出力映像は、前記第１フレームの間に表示される第１映像、前記第２フレームの間に表示され、前記第１映像と異なる階調を有する第２映像、前記第３フレームの間に表示され、前記第２映像と異なる階調を有する第３映像、及び前記第４フレームの間に表示され、前記第３映像と異なる階調を有する第４映像からなる。
【００２１】
１実施例において、前記第１フレーム、前記第２フレーム、前記第３フレーム、及び前記第４フレームは、連続する。
【００２２】
１実施例において、前記第１フレーム及び前記第３フレームの間に、前記表示パネルに含まれる液晶に対する立ち上がり応答が行われ、前記第２フレーム及び前記第４フレームの間に、前記液晶に対する立ち下がり応答が行われる。
【００２３】
１実施例において、前記第１フレームの期間は、前記第２フレームの期間よりも長く、前記第３フレームの期間は、前記第４フレームの期間よりも長い。
【００２４】
１実施例において、前記第１フレームの期間は、前記第２フレームの期間よりも短く、前記第３フレームの期間は、前記第４フレームの期間よりも短い。
【００２５】
１実施例において、前記タイミング制御回路は、前記液晶に対する立ち上がり応答を補償するために、前記第１入力映像データに対するダイナミックキャパシタンス補償（ＤＣＣ）を行う。
【００２６】
１実施例において、前記第１及び第３フレームの間に、前記複数のピクセルのうち、第１ピクセルに提供される第１及び第３データ電圧は、第１ガンマ曲線に基づいて各々発生し、前記第２及び第４フレームの間に、前記第１ピクセルに提供される第２及び第４データ電圧は、前記第１ガンマ曲線と異なる第２ガンマ曲線に基づいて、各々発生する。
【００２７】
１実施例において、前記第１フレームの間に、前記複数のピクセルのうち、第１ピクセルに提供される第１データ電圧は、第１ガンマ曲線に基づいて発生し、前記第２、第３及び第４フレームの間に、前記第１ピクセルに提供される第２、第３及び第４データ電圧は、前記第１ガンマ曲線と異なる第２ガンマ曲線に基づいて、各々発生する。
【００２８】
１実施例において、前記第１フレームの間に、前記第１ピクセルに隣接する第２ピクセルに提供される第５データ電圧は、前記第１ガンマ曲線に基づいて発生し、前記第２、第３及び第４フレームの間に、前記第２ピクセルに提供される第６、第７及び第８データ電圧は、前記第２ガンマ曲線に基づいて各々発生する。
【００２９】
１実施例において、前記第１、第２及び、第４フレームの間に、前記第１ピクセルに隣接する第２ピクセルに提供される第５、第６及び第８データ電圧は、前記第２ガンマ曲線に基づいて各々発生し、前記第３フレームの間に、前記第２ピクセルに提供される第７データ電圧は、前記第１ガンマ曲線に基づいて発生する。
【００３０】
前記他の目的を達成するために、本発明の実施例による表示装置の駆動方法において、第１フレーム及び第２フレームからなる第１フレームセットの間に、第１出力映像を表示パネルに表示する。前記第１フレームセットに対応する第１入力映像データに基づいて、第１出力映像データを発生する。前記第１出力映像データに基づいて、前記第１フレームの間に第１映像を表示する。前記第１出力映像データに基づいて、前記第２フレームの間に前記第１映像と異なる階調を有する第２映像を表示する。前記第２フレームは、前記第１フレームと異なる期間を有し、前記第１出力映像は、前記第１映像及び前記第２映像からなる。
【００３１】
１実施例において、前記第１フレームと前記第２フレームとは、連続する。
【００３２】
１実施例において、前記第１フレームの間に、前記表示パネルに含まれる液晶に対する立ち上がり応答が行われ、前記第２フレームの間に、前記液晶に対する立ち下がり応答が行われる。
【００３３】
１実施例において、前記第１フレームの期間は、前記第２フレームの期間よりも長い。
【００３４】
１実施例において、前記第１フレームの期間は、前記第２フレームの期間よりも短い。
【００３５】
前記他の目的を達成するために、本発明の実施例による表示装置の駆動方法において、第１フレーム、第２フレーム、第３フレーム、及び第４フレームからなる第１フレームセットの間に、第１出力映像を表示パネルに表示する。前記第１フレームセットに対応する第１入力映像データに基づいて、第１出力映像データを発生する。前記第１出力映像データに基づいて、前記第１フレームの間に第１映像を表示する。前記第１出力映像データに基づいて、前記第２フレームの間に、前記第１映像と異なる階調を有する第２映像を表示する。前記第１出力映像データに基づいて、前記第３フレームの間に、前記第２映像と異なる階調を有する第３映像を表示する。前記第１出力映像データに基づいて、前記第４フレームの間に、前記第３映像と異なる階調を有する第４映像を表示する。前記第２フレームは、前記第１フレームと異なる期間を有し、前記第３フレームは、前記第２フレームと異なる期間を有し、前記第４フレームは、前記第３フレームと異なる期間を有し、前記第１出力映像は、前記第１映像、前記第２映像、前記第３映像、及び前記第４映像からなる。
【００３６】
１実施例において、前記第１フレーム、前記第２フレーム、前記第３フレーム、及び前記第４フレームは、連続する。
【００３７】
１実施例において、前記第１フレーム及び前記第３フレームの間に、前記表示パネルに含まれる液晶に対する立ち上がり応答が行われ、前記第２フレーム及び前記第４フレームの間に、前記液晶に対する立ち下がり応答が行われる。
【００３８】
１実施例において、前記第１フレームの期間は、前記第２フレームの期間よりも長く、前記第３フレームの期間は、前記第４フレームの期間よりも長い。
【００３９】
１実施例において、前記第１フレームの期間は、前記第２フレームの期間よりも短く、前記第３フレームの期間は、前記第４フレームの期間よりも短い。
【発明の効果】
【００４０】
前記のような本発明の実施例による表示装置及びその駆動方法によると、少なくとも２つのフレームを含む１つのフレームセットの間に、１つの出力映像が表示パネルに表示される時間分割駆動（ＴＧＭ）方式に加えて、１つのフレームセット内のフレームが、互いに異なる期間を有する非対称フレーム分割（ＡＦＤ）方式に基づいて、表示パネルが動作する。そこで、表示パネルの駆動マージンが向上し、表示パネルを含む表示装置の透過率及び視認性が向上し、表示品質が向上する。
【図面の簡単な説明】
【００４１】
【図１】図１は、本発明の実施例による表示装置を示すブロック図である。
【図２】図２は、本発明の実施例による表示装置の駆動方法を説明するための図である。
【図３】図３は、本発明の実施例による表示装置の駆動方法を説明するための図である。
【図４】図４は、本発明の実施例による表示装置において、基準階調電圧を発生することに用いられるガンマ曲線の一例を示すグラフである。
【図５】図５は、本発明の実施例による表示装置に含まれる複数のピクセルのうち、１つの構造を示す平面図である。
【図６】図６а及び６ｂは、図５の構造を有する１つのピクセルが、ＴＧＭ方式に基づいて駆動される例を示す図である。
【図７】図７は、本発明の実施例による表示装置に含まれる複数のピクセルのうち、１つの構造を示す平面図である。
【図８】図８は、図７のピクセル構造の具体例を示す回路図である。
【図９】図９は、図７のピクセル構造の具体例を示す回路図である。
【図１０】図１０は、図７のピクセル構造の具体例を示す回路図である。
【図１１】図１１は、図７のピクセル構造の具体例を示す回路図である。
【図１２】図１２は、図７のピクセル構造の具体例を示す回路図である。
【図１３】図１３а及び１３ｂは、図７の構造を有する１つのピクセルが、ＴＧＭ方式に基づいて駆動される例を示す図である。
【図１４】図１４は、本発明の実施例による表示装置の駆動方法を説明するための図である。
【図１５】図１５は、本発明の実施例による表示装置の駆動方法を説明するための図である。
【図１６】図１６は、図５の構造を有する１つのピクセルが、ＴＧＭ方式に基づいて駆動される例を示す図である。
【図１７】図１７ａ及び１７ｂは、図５の構造を有する複数のピクセルが、ＴＧＭ方式に基づいて駆動される例を示す図である。
【図１８】図１８は、本発明の実施例による表示装置において、基準階調電圧を発生することに用いられるガンマ曲線の一例を示すグラフである。
【図１９】図１９а、１９ｂ、１９ｃ、１９ｄ、１９ｅ、及び１９ｆは、図７の構造を有する１つのピクセルが、ＴＧＭ方式に基づいて駆動される例を示す図である。
【図２０】図２０ａ  、２０ｂ、及び２０ｃは、図５の構造を有する１つのピクセルが、ＴＧＭ方式に基づいて駆動される例を示す図である。
【図２１】図２１は、本発明の実施例による表示装置に含まれる表示パネルの動作を説明するための平面図である。
【図２２】図２２ａ及び２２ｂは、本発明の実施例による表示装置に含まれる表示パネルのドット構造を説明するための平面図である。
【発明を実施するための形態】
【００４２】
以下、添付の図面を参照して、本発明の実施例をより詳しく説明する。図面上の同一の構成要素に対しては同一の符号を付し、同一の構成要素に関する重複した説明は省略する。
【００４３】
図１は、本発明の実施例による表示装置を示すブロック図である。
【００４４】
図１に示すように、表示装置１０は、表示パネル１００と、タイミング制御回路２００と、ゲート駆動回路３００と、階調電圧発生回路４００と、データ駆動回路５００とを含む。
【００４５】
表示パネル１００は、複数のゲートライン（ＧＬ）、及び複数のデータライン（ＤＬ）に連結され、タイミング制御回路２００から提供される出力映像データ（ＤＡＴ）に基づいて、映像を表示する。複数のゲートライン（ＧＬ）は、第１方向（Ｄ１）に延在し、複数のデータライン（ＤＬ）は、第１方向（Ｄ１）に直交する第２方向（Ｄ２）に延在する。
【００４６】
表示パネル１００は、マトリックス状に配置された複数のピクセル（ＰＸ）を含む。複数のピクセル（ＰＸ）の各々は、ゲートライン（ＧＬ）の１つ、及びデータライン（ＤＬ）の１つと電気的に連結される。
【００４７】
複数のピクセル（ＰＸ）の各々は、スイッチング素子（例えば、図５のＱ）、前記スイッチング素子に電気的に連結された液晶キャパシタ、及びストレージキャパシタを含む。前記スイッチング素子は、薄膜トランジスタである。前記液晶キャパシタは、ピクセル電極に連結されて、データ電圧が与えられる第１電極と、共通電極に連結され、共通電圧が与えられる第２電極とを含む。前記ストレージキャパシタは、前記ピクセル電極に連結され、前記データ電圧が与えられる第１電極と、ストレージ電極に連結され、ストレージ電圧が与えられる第２電極とを含む。前記ストレージ電圧は、前記共通電圧と同一のレベルを有する。
【００４８】
１実施例において、複数のピクセル（ＰＸ）の各々は、長方形の平面形状を有する。複数のピクセル（ＰＸ）の各々は、第１方向（Ｄ１）の第１辺、及び第２方向（Ｄ２）の第２辺を有する。複数のピクセル（ＰＸ）の各々の第１辺は、ゲートライン（ＧＬ）と平行であり、複数のピクセル（ＰＸ）の各々の第２辺は、データライン（ＤＬ）と平行である。
【００４９】
タイミング制御回路２００は、表示パネル１００の動作を制御し、ゲート駆動回路３００、階調電圧発生回路４００、及びデータ駆動回路５００の動作を制御する。タイミング制御回路２００は、外部の装置（例えば、ホスト）から、入力映像データ（ＩＤＡＴ）、及び入力制御信号（ＩＣＯＮＴ）を受信する。入力映像データ（ＩＤＡＴ）は、複数のピクセル（ＰＸ）に対する入力ピクセルデータを含み、前記入力ピクセルデータの各々は、対応するピクセルに対する赤色階調データ（Ｒ）、緑色階調データ（Ｇ）、及び青色階調データ（Ｂ）を含む。入力制御信号（ＩＣＯＮＴ）は、マスタークロック信号、データイネーブル信号、垂直同期信号及び水平同期信号などを含む。
【００５０】
タイミング制御回路２００は、入力映像データ（ＩＤＡＴ）及び入力制御信号（ＩＣＯＮＴ）に基づいて、出力映像データ（ＤＡＴ）、第１制御信号（ＣＯＮＴ１）、第２制御信号（ＣＯＮＴ２）、及び第３制御信号（ＣＯＮＴ３）を発生する。
【００５１】
具体的に、タイミング制御回路２００は、入力映像データ（ＩＤＡＴ）を基に、出力映像データ（ＤＡＴ）を発生して、データ駆動回路５００に提供する。出力映像データ（ＤＡＴ）は或る実施例では、入力映像データ（ＩＤＡＴ）と実質的に同一の映像データであり、別の実施例では、入力映像データ（ＩＤＡＴ）を補正して発生した補正映像データである。例えば、タイミング制御回路２００は、入力映像データ（ＩＤＡＴ）に対する画質補正、ムラ補正、色特性補償（Ａｄａｐｔｉｖｅ  Ｃｏｌｏｒ  Ｃｏｒｒｅｃｔｉｏｎ、以下、АＣＣという）、及び／又はダイナミックキャパシタンス補償（Ｄｙｎａｍｉｃ  Ｃａｐａｃｉｔａｎｃｅ  Ｃｏｍｐｅｎｓａｔｉｏｎ、以下、ＤＣＣという）などを選択的に行って、出力映像データ（ＤＡＴ）を発生する。
【００５２】
また、タイミング制御回路２００は、入力制御信号（ＩＣＯＮＴ）を基に、ゲート駆動回路３００の動作を制御するための制１制御信号（ＣＯＮＴ１）を発生して、ゲート駆動回路３００に提供する。第１制御信号（ＣＯＮＴ１）は、垂直開始信号、及びゲートクロック信号などを含む。タイミング制御回路２００は、入力制御信号（ＩＣＯＮＴ）を基に、データ駆動回路５００の動作を制御するための制２制御信号（ＣＯＮＴ２）を発生して、データ駆動回路５００に提供する。第２制御信号（ＣＯＮＴ２）は、水平開始信号、データクロック信号、データロード信号、極性制御信号などを含む。タイミング制御回路２００は、入力制御信号（ＩＣＯＮＴ）を基に、階調電圧発生回路４００の動作を制御するための制３制御信号（ＣＯＮＴ３）を発生して、階調電圧発生回路４００に提供する。
【００５３】
ゲート駆動回路３００は、タイミング制御回路２００から、第１制御信号（ＣＯＮＴ１）を受信する。ゲート駆動回路３００は、第１制御信号（ＣＯＮＴ１）に基づいて、複数のゲートライン（ＧＬ）を駆動するためのゲート信号を発生する。ゲート駆動回路３００は、前記ゲート信号を、複数のゲートライン（ＧＬ）に順次印加する。
【００５４】
階調電圧発生回路４００は、タイミング制御回路２００から、第３制御信号（ＣＯＮＴ３）を受信する。階調電圧発生回路４００は、第３制御信号（ＣＯＮＴ３）に基づいて、基準階調電圧（ＶＧ）を発生する。階調電圧発生回路４００は、基準階調電圧（ＶＧ）をデータ駆動回路５００に提供する。
【００５５】
１実施例において、階調電圧発生回路４００は、複数の抵抗が直列に連結されてなる抵抗ストリング回路（図示せず）を含み、電源電圧、接地電圧、及び複数個の出力ピクセルデータのグレイスケールに基づき基準階調電圧（ＶＧ）を出力する。他の実施例において、階調電圧発生回路４００は、デジタル形態の基準階調電圧（ＶＧ）を発生する。実施例によっては、階調電圧発生回路４００は、データ駆動回路５００内に配置される。
【００５６】
データ駆動回路５００は、タイミング制御回路２００から第２制御信号（ＣＯＮＴ２）、及び出力映像データ（ＤＡＴ）を受信する。データ駆動回路５００は、第２制御信号（ＣＯＮＴ２）、及びデジタル形態の出力映像データ（ＤＡＴ）に基づいて、アナログ形態のデータ電圧を発生する。データ駆動回路５００は、前記データ電圧を、複数のデータライン（ＤＬ）に順次印加する。
【００５７】
１実施例において、データ駆動回路５００は、シフトレジスタ（図示せず）、ラッチ（図示せず）、信号処理部（図示せず）、及びバッファ部（図示せず）を含む。前記シフトレジスタは、ラッチパルスを前記ラッチに出力する。前記ラッチは、出力映像データ（ＤＡＴ）を一時格納した後、前記信号処理部に出力する。前記信号処理部は、デジタル形態の出力映像データ（ＤＡＴ）に基づいて、アナログ形態の前記データ電圧を発生し、前記バッファ部に出力する。前記バッファ部は、前記データ電圧のレベルが一定のレベルを有するように補償して、前記データ電圧を、データライン（ＤＬ）に出力する。
【００５８】
実施例によっては、ゲート駆動回路３００、階調電圧発生回路４００、及び／又はデータ駆動回路５００の内の少なくとも一つは、表示パネル１００上に直接実装されるか、テープキャリアパッケージ（ｔａｐｅ  ｃａｒｒｉｅｒ  ｐａｃｋａｇｅ、ＴＣＰ）形態で、表示パネル１００に連結される。別の実施例によっては、ゲート駆動回路３００、階調電圧発生回路４００、及び／又はデータ駆動回路５００の内の少なくとも一つは、表示パネル１００に集積される。
【００５９】
本発明の実施例による表示装置は、時間分割駆動（Ｔｅｍｐｏｒａｌ  Ｇａｍｍａ  Ｍｉｘｉｎｇ、ＴＧＭ）方式に基づいて動作する。前記ＴＧＭ方式では、少なくとも２つのフレームからなる１つのフレームセットの間に、１つの出力映像を表示パネル１００に表示し、この時、各々のフレームで表示される映像を組み合わせて、１つの出力映像が表示される。前記のようなＴＧＭ方式を適用するために、２以上のガンマ曲線が用いられる。言い換えれば、基準階調電圧（ＶＧ）は、少なくとも２つのガンマ曲線に基づいて発生し、前記少なくとも２つのガンマ曲線に対する情報を含む基準階調電圧（ＶＧ）に基づいて、前記少なくとも２つのフレームで映像を表示することができる。この時、前記少なくとも２つのフレームは、互いに異なる期間を有する。
【００６０】
以下では、フレームセット及びフレームの構成と、表示パネルに含まれるピクセル構造の例を参照して、本発明の実施例による表示装置及びその駆動方法を、より詳しく説明する。
【００６１】
図２及び３は、本発明の実施例による表示装置の駆動方法を説明するための図である。図２及び３は、１つのフレームセットが２つのフレームを含む場合、フレームの経過による表示パネルの輝度変化を示す。
【００６２】
本発明の実施例による表示装置の駆動方法において、１つのフレームセット（例えば、図２のＦＳ１）に含まれる２つのフレーム（例えば、図２のＦ１及びＦ２）は、互いに異なる期間を有する。換言すると、１つのフレームセットは対称分割されず非対称分割され、本発明の実施例による表示装置は、ＴＧＭ方式に基づいて動作すると同時に、非対称フレーム分割（Ａｓｙｍｍｅｔｒｉｃ  Ｆｒａｍｅ  Ｄｉｖｉｄｉｎｇ、ＡＦＤ）方式に基づいて動作する。
【００６３】
図１及び２に示すように、第１フレームセット（ＦＳ１）は、互いに異なる期間を有する第１及び第２フレーム（Ｆ１、Ｆ２）を含む。例えば、第１フレーム（Ｆ１）と第２フレーム（Ｆ２）は連続（ｃｏｎｓｅｃｕｔｉｖｅ、時間的に連続）する。第１フレームセット（ＦＳ１）に続く第２フレームセット（ＦＳ２）は、互いに異なる期間を有する第３及び第４フレーム（Ｆ３、Ｆ４）を含む。例えば、第２フレームセット（ＦＳ２）は、第１フレームセット（ＦＳ１）に連続し、第３フレーム（Ｆ３）と第４フレーム（Ｆ４）は連続する。
【００６４】
入力映像データ（ＩＤＡＴ）及び出力映像データ（ＤＡＴ）は、各フレームセットに対応する複数のデータを含む。例えば、入力映像データ（ＩＤＡＴ）は、第１フレームセット（ＦＳ１）に対応する第１入力映像データ、及び第２フレームセット（ＦＳ２）に対応する第２入力映像データを含む。出力映像データ（ＤＡＴ）は、第１フレームセット（ＦＳ１）に対応する第１出力映像データ、及び第２フレームセット（ＦＳ２）に対応する第２出力映像データを含む。
タイミング制御回路２００は、前記第１入力映像データに基づいて、前記第１出力映像データを発生する。データ駆動回路５００は、少なくとも２つのガンマ曲線に対する情報を含む基準階調電圧（ＶＧ）、及び前記第１出力映像データに基づいて、複数の第１データ電圧及び複数の第２データ電圧を発生する。
【００６５】
表示パネル１００は、第１フレームセット（ＦＳ１）の間に、前記第１出力映像データに基づいて第１出力映像を表示する。具体的に、表示パネル１００は、前記第１出力映像データに基づいて（例えば、前記複数の第１データ電圧に基づいて）、第１フレーム（Ｆ１）の間に第１映像を表示し、前記第１出力映像データに基づいて（例えば、前記複数の第２データ電圧に基づいて）、第２フレーム（Ｆ２）の間に、前記第１映像と異なる階調を有する第２映像を表示する。前記第１出力映像は、前記第１映像及び前記第２映像からなる。言い換えれば、前記第１出力映像は、前記第１及び第２映像の組み合わせにより、表示パネル１００に表示される。
【００６６】
図２の実施例において、第１フレーム（Ｆ１）の期間は、第２フレーム（Ｆ２）の期間よりも長い。例えば、前記第１フレーム（Ｆ１）の期間は、第１フレームセット（ＦＳ１）の半分期間（ＨＦ）よりも△Ｆ分だけ長く、前記第２フレーム（Ｆ２）の期間は、前記第１フレームセット（ＦＳ１）の半分期間（ＨＦ）よりも△Ｆ分だけ短い。
【００６７】
第１フレーム（Ｆ１）の間に、表示パネル１００に含まれる液晶に対する立ち上がり応答が行われ（例えば、表示パネル１００の輝度が増加し）、第２フレーム（Ｆ２）の間に、前記液晶に対する立ち下がり応答が行われる（例えば、表示パネル１００の輝度が減少する）。
【００６８】
１実施例において、前記第１フレーム（Ｆ１）の期間と、前記第２フレーム（Ｆ２）の期間との和の半分（即ち、前記第１フレームセット（ＦＳ１）の半分期間（ＨＦ））が、前記液晶の基準立ち下がり時間よりも大きいか、同一である場合、図２に示すように、前記第１フレームの期間（Ｆ１）が、前記第２フレーム（Ｆ２）の期間よりも長く設定される。例えば、前記第１フレームセット（ＦＳ１）の期間が約８．３ｍｓであり、前記液晶の基準立ち下がり時間が約３．２ｍｓの場合に、前記第１フレームセット（ＦＳ１）の期間の半分が、前記液晶の基準立ち下がり時間よりも大きい。この場合、前記第２フレーム（Ｆ２）の期間を、前記液晶の基準立ち下がり時間の約３．２ｍｓに減少させ、前記第１フレーム（Ｆ１）の期間を、約５．１ｍｓに増加することで、前記基準立ち下がり時間を確保しながら、前記立ち上がり応答のための立ち上がり時間を増加できる。そこで、ＡＦＤ方式（図２のＣＡＳＥ１）に基づいて駆動される場合に，対称フレーム分割方式（図２のＣＡＳＥ２）に基づいて駆動される場合よりも液晶の応答特性が向上し、表示パネル１００の透過率及び視認性を改善できる。
【００６９】
第２フレームセット（ＦＳ２）における動作は、第１フレームセット（ＦＳ１）における動作と実質的に同一である。例えば、タイミング制御回路２００は、前記第２入力映像データに基づいて、前記第２出力映像データを発生する。データ駆動回路５００は、少なくとも２つのガンマ曲線に対する情報を含む基準階調電圧（ＶＧ）及び前記第２出力映像データに基づいて、複数の第３データ電圧及び複数の第４データ電圧を発生する。表示パネル１００は、第２フレームセット（ＦＳ２）の間に、前記第２出力映像データに基づいて、第２出力映像を表示する。具体的に、表示パネル１００は、前記第２出力映像データに基づいて（例えば、前記複数の第３データ電圧に基づいて）、第３フレーム（Ｆ３）の間に第３映像を表示し、前記第２出力映像データに基づいて（例えば、前記複数の第４データ電圧に基づいて）、第４フレーム（Ｆ４）の間に、前記第３映像と異なる階調を有する第４映像を表示することができる。前記第２出力映像は、前記第３映像及び前記第４映像からなる。言い換えれば、前記第２出力映像は、前記第３及び第４映像の組み合わせにより、表示パネル１００に表示される。第３フレーム（Ｆ３）の期間は、第４フレーム（Ｆ４）の期間よりも長く、前記第３及び第４フレーム（Ｆ３、Ｆ４）の期間は、前記第１及び第２フレーム（Ｆ１、Ｆ２）の期間と各々実質的に同一である。
【００７０】
一方、図示していないが、ゲート駆動回路３００で発生するゲート信号に含まれるゲートパルスの幅を調節することで、第１及び第２フレーム（Ｆ１、Ｆ２）が互いに異なる期間を有するようにできる。例えば、前記ゲートパルスは、第１フレーム（Ｆ１）で相対的に長い幅を有し、第２フレーム（Ｆ２）で相対的に短い幅を有するようにできる。
【００７１】
図１及び３に示すように、第１フレームセット（ＦＳ１’）は、互いに異なる期間を有する第１及び第２フレーム（Ｆ１’、Ｆ２’）を含む。例えば、第１フレーム（Ｆ１’）と第２フレーム（Ｆ２’）とは連続する。第１フレームセット（ＦＳ１’）以後の第２フレームセット（ＦＳ２’）は、互いに異なる期間を有する第３及び第４フレーム（Ｆ３’、Ｆ４’）を含む。例えば、第２フレームセット（ＦＳ２’）は、第１フレームセット（ＦＳ１’）に連続し、第３フレーム（Ｆ３’）と第４フレーム（Ｆ４’）は、連続する。
【００７２】
図３の実施例は、フレーム構成が相違することを除くと、図２の実施例と類似する。タイミング制御回路２００は、第１フレームセット（ＦＳ１’）に対応する第１入力映像データに基づいて、第１出力映像データを発生する。表示パネル１００は、第１フレームセット（ＦＳ１’）の間に、前記第１出力映像データに基づいて、第１出力映像を表示する。具体的に、表示パネル１００は、前記第１出力映像データに基づいて、第１フレーム（Ｆ１’）の間に第１映像を表示し、前記第１出力映像データに基づいて、第２フレーム（Ｆ２’）の間に、前記第１映像と異なる階調を有する第２映像を表示する。前記第１出力映像は、前記第１及び第２映像の組み合わせにより、表示パネル１００に表示される。また、タイミング制御回路２００は、第２フレームセット（ＦＳ２’）に対応する第２入力映像データに基づいて、第２出力映像データを発生する。表示パネル１００は、第２フレームセット（ＦＳ２’）の間に、前記第２出力映像データに基づいて、第２出力映像を表示する。具体的に、表示パネル１００は、前記第２出力映像データに基づいて、第１フレーム（Ｆ３’）の間に第３映像を表示し、前記第２出力映像データに基づいて、第４フレーム（Ｆ４’）の間に、前記第３映像と異なる階調を有する第４映像を表示する。前記第２出力映像は、前記第３及び第４映像の組み合わせにより、表示パネル１００に表示される。
【００７３】
図３の実施例において、第１フレーム（Ｆ１’）の期間は、第２フレーム（Ｆ２’）の期間よりも短い。例えば、前記第１フレーム（Ｆ１’）の期間は、第１フレームセット（ＦＳ１’）の半分期間（ＨＦ’）よりも△Ｆ’分だけ短く、前記第２フレーム（Ｆ２’）の期間は、前記第１フレームセット（ＦＳ１’）の半分期間（ＨＦ’）よりも△Ｆ’分だけ長い。第３フレーム（Ｆ３’）の期間は、第４フレーム（Ｆ４’）の期間よりも短く、前記第３及び第４フレーム（Ｆ３’、Ｆ４’）の期間は、前記第１及び第２フレーム（Ｆ１’、Ｆ２’）の期間と各々実質的に同一である。
【００７４】
第１フレーム（Ｆ１’）の間に、表示パネル１００に含まれる液晶に対する立ち上がり応答が行われ、第２フレーム（Ｆ２’）の間に、前記液晶に対する立ち下がり応答が行われる。
【００７５】
１実施例において、前記第１フレーム（Ｆ１’）の期間と前記第２フレーム（Ｆ２’）の期間との和の半分（即ち、前記第１フレームセット（ＦＳ１’）の半分期間（ＨＦ’））が、前記液晶の基準立ち下がり時間よりも小さい場合に、図３に示すように、前記第１フレームの期間（Ｆ１’）が、前記第２フレーム（Ｆ２’）の期間よりも短く設定される。例えば、前記第１フレームセット（ＦＳ１’）の期間が約３．７ｍｓであり、前記液晶の基準立ち下がり時間が約３．２ｍｓの場合に、前記第１フレームセット（ＦＳ１’）の期間の半分が、前記液晶の基準立ち下がり時間より小さい。この場合、前記第２フレーム（Ｆ２’）の期間を、前記液晶の基準立ち下がり時間の約３．２ｍｓに可能な限り近づくように増加（（例えば、約２．７ｍｓに増加）し、前記第１フレーム（Ｆ１’）の期間を減少（例えば、約１．０ｍｓに減少）する。
【００７６】
１実施例において、タイミング制御回路２００は、前記液晶に対する立ち上がり応答を補償するために、前記第１入力映像データに対するＤＣＣ（ダイナミックキャパシタンス補償）を行う。前記ＤＣＣを行うことにより、前記立ち上がり応答のための立ち上がり時間が減少しても、前記立ち上がり応答を効率よくでき、前記立ち下がり応答のための立ち下がり時間を、前記液晶の基準立ち下がり時間に可能な限り近づくように増加できる。また、タイミング制御回路２００は、前記液晶に対する立ち上がり応答を補償するために、前記第２入力映像データに対するＤＣＣを行う。そこで、ＡＦＤ方式（図３のＣＡＳＥ１’）に基づいて駆動される場合が、対称フレーム分割方式（図３のＣＡＳＥ２’）に基づいて駆動される場合よりも、液晶の応答特性が向上し、表示パネル１００の透過率及び視認性を改善できる。  
【００７７】
以下では、図４乃至図１３を参照して、前記ＴＧＭ方式の一例について、詳しく説明することにする。
【００７８】
図４は、本発明の実施例による表示装置において、基準階調電圧を発生することに用いられるガンマ曲線の一例を示すグラフである。
【００７９】
図１及び４に示すように、基準階調電圧（ＶＧ）は、２つのガンマ曲線（ＧＨ、ＧＬ）に基づいて発生する。第１ガンマ曲線（ＧＨ）による映像の輝度は、第２ガンマ曲線（ＧＬ）による映像の輝度よりも高いか、又は同一である。第１及び第２ガンマ曲線（ＧＨ、ＧＬ）の合成ガンマ曲線が、表示パネル１００に最も適合するように、一定の基準ガンマ曲線（例えば、ガンマ値が２．２のガンマ曲線）（Ｇｆ）と一致するように、第１及び第２ガンマ曲線（ＧＨ、ＧＬ）が調整される。
【００８０】
１実施例において、表示装置１０は、第１及び第２ガンマ曲線（ＧＨ、ＧＬ）に対するガンマデータを格納する格納部（図示せず）を更に含む。実施例によって、前記格納部は、タイミング制御回路２００の内部又は外部に配置される。
【００８１】
図５は、本発明の実施例による表示装置に含まれる複数のピクセルのうち、１つの構造を示す平面図である。
【００８２】
図５に示すように、ピクセル（ＰＸ）は、データライン１７１及びゲートライン１２１に連結されるスイッチング素子（Ｑ）と、スイッチング素子（Ｑ）に連結されたピクセル電極（ＰＥ）とを含む。例えば、スイッチング素子（Ｑ）は、薄膜トランジスタである。スイッチング素子（Ｑ）は、ゲートライン１２１が伝達するゲート信号により制御され、データライン１７１が伝達するデータ電圧を、ピクセル電極（ＰＥ）に伝達する。
【００８３】
図６а及び図６ｂは、図５の構造を有する１つのピクセルが、ＴＧＭ方式に基づいて駆動される例を示す図である。
【００８４】
図６а及び６ｂに示すように、ピクセル（ＰＸ）は、２つのフレームを、１フレームセットとして駆動される。前記１フレームセットに含まれる前記２つのフレームは連続する。例えば、ピクセル（ＰＸ）は、第１フレームセット（ＦＳ１）の第１及び第２フレーム（Ｆ１、Ｆ２）の間に、前記第１出力映像の一部を表示し、第２フレームセット（ＦＳ２）の第３及び第４フレーム（Ｆ３、Ｆ４）の間に、前記第２出力映像の一部を表示する。この時、第１及び第２フレーム（Ｆ１、Ｆ２）の期間は、互いに異なり、第３及び第４フレーム（Ｆ３、Ｆ４）の期間は、互いに異なる。
【００８５】
１フレームセットが含む２つのフレームのうち、１フレームでピクセル（ＰＸ）は、第１ガンマ曲線（図４のＧＨ）による第１部分映像（Ｈ）を表示し、残りの１フレームでピクセル（ＰＸ）は、第２ガンマ曲線（図４のＧＬ）による第２部分映像（Ｌ）を表示する。相異なるガンマ曲線に基づく第１、第２部分映像は連続するフレームに表示され、組み合わされて得られたガンマ曲線は実質的に図４の基準ガンマ曲線Ｇｆに近い。
【００８６】
具体的に、図６аに示すように、第１フレーム（Ｆ１）の間にピクセル（ＰＸ）に提供される第１データ電圧は、第１ガンマ曲線（図４のＧＨ）に基づいて発生し、第２フレーム（Ｆ２）の間にピクセル（ＰＸ）に提供される第２データ電圧は、第２ガンマ曲線（図４のＧＬ）に基づいて発生し、第３フレーム（Ｆ３）の間にピクセル（ＰＸ）に提供される第３データ電圧は、第１ガンマ曲線（図４のＧＨ）に基づいて発生し、第４フレーム（Ｆ４）の間にピクセル（ＰＸ）に提供される第４データ電圧は、第２ガンマ曲線（図４のＧＬ）に基づいて発生する。言い換えれば、ピクセル（ＰＸ）は、第１フレーム（Ｆ１）で第１部分映像（Ｈ）を表示し、第２フレーム（Ｆ２）で第２部分映像（Ｌ）を表示し、第３フレーム（Ｆ３）で第１部分映像（Ｈ）を表示し、第４フレーム（Ｆ４）で第２部分映像（Ｌ）を表示する。
【００８７】
図示してはいないが、第２フレームセットＦＳ２に引き続く次の２フレームセットの間に、ピクセル（ＰＸ）は、第１乃至第４フレーム（Ｆ１〜Ｆ４）と同じく、Ｈ、Ｌ、Ｈ、Ｌの順に部分映像を表示する。
又は、第１乃至第４フレーム（Ｆ１〜Ｆ４）とは異なり、Ｌ、Ｈ、Ｌ、Ｈの順に部分映像を表示する。
【００８８】
１実施例において、前記第１データ電圧によりピクセル（ＰＸ）に表示される第１部分映像（Ｈ）の輝度は、前記第２データ電圧によりピクセル（ＰＸ）に表示される第２部分映像（Ｌ）の輝度よりも高い。
【００８９】
一方、図２１で後述するように、表示パネル１００は、反転駆動方式に基づいて動作する場合があり、その際、前記第１データ電圧の極性は、前記第２データ電圧の極性と異なる。例えば、前記第１データ電圧は、正極性であり、前記第２データ電圧は、負極性である。
【００９０】
また、図６ｂに示すように、別の実施例では、第１フレーム（Ｆ１）の間にピクセル（ＰＸ）に提供される第１データ電圧は、第１ガンマ曲線（図４のＧＨ）に基づいて発生し、第２フレーム（Ｆ２）の間にピクセル（ＰＸ）に提供される第２データ電圧は、第２ガンマ曲線（図４のＧＬ）に基づいて発生し、第３フレーム（Ｆ３）の間にピクセル（ＰＸ）に提供される第３データ電圧は、第２ガンマ曲線（図４のＧＬ）に基づいて発生し、第４フレーム（Ｆ４）の間にピクセル（ＰＸ）に提供される第４データ電圧は、第１ガンマ曲線（図４のＧＨ）に基づいて発生する。
言い換えれば、ピクセル（ＰＸ）は、第１フレーム（Ｆ１）で第１部分映像（Ｈ）を表示し、第２フレーム（Ｆ２）で第２部分映像（Ｌ）を表示し、第３フレーム（Ｆ３）で第２部分映像（Ｌ）を表示し、第４フレーム（Ｆ４）で第１部分映像（Ｈ）を表示する。
【００９１】
図６ｂに示したように、このように連続したフレームセットにおいて、第１部分映像（Ｈ）と第２部分映像（Ｌ）を表示する順番を逆にすると、輝度が低い第２部分映像（Ｌ）が連続したフレームで表示されるので、表示パネル（図１の１００）に含まれる液晶の遅い応答速度を補償でき、表示パネル（図１の１００）の視認性を向上できる。
【００９２】
図６ｂには示していないが別の実施例によれば、第２フレームセットＦＳ２に引き続く次の２つのフレームセットの間に、ピクセル（ＰＸ）は、図６ｂの第１乃至第４フレーム（Ｆ１〜Ｆ４）と同じく、Ｈ、Ｌ、Ｌ、Ｈの順に部分映像を表示する。
又は、図６ｂの第１乃至第４フレーム（Ｆ１〜Ｆ４）と異なり、Ｌ、Ｈ、Ｈ、Ｌの順に部分映像を表示する。
上述したように図５のピクセルに対して、ＴＧＭ方式とＡＦＤ方式とを適用する場合に、連続したフレームにおいて互いに異なるガンマ曲線による映像を表示し、これらの合成ガンマ曲線を基準ガンマ曲線（図５のＧｆ）に実質的に近づけるように調節することで、視認性及び透過率を向上できる。
【００９３】
図７は、本発明の実施例による表示装置に含まれる別のピクセルの構造を示す平面図である。
【００９４】
図７に示すように、ピクセル（ＰＸ）は、第１サブピクセル（ＰＸа）及び第２サブピクセル（ＰＸｂ）を含む。第１サブピクセル（ＰＸа）及び第２サブピクセル（ＰＸｂ）は、１つの出力映像データに対して、互いに異なるガンマ曲線による映像を表示するか、又は、同一のガンマ曲線による映像を表示する。
また、第１サブピクセル（ＰＸа）及び第２サブピクセル（ＰＸｂ）の面積は、互いに同一であるか、又は、異なる。
このように、１つのピクセルをサブピクセルに分割して駆動する方式を、空間分割駆動方式と称する。
【００９５】
図８、９、１０、１１及び１２は、図７のピクセル構造の具体的な例を示す回路図である。
【００９６】
図８に示すように、ピクセル（ＰＸ）は、ゲートライン１２１、減圧（ｄｏｗｎ）ゲートライン１２３、及びデータライン１７１を含む信号ラインに連結された、第１及び第２サブピクセル（ＰＸа、ＰＸｂ）を含む。
【００９７】
第１サブピクセル（ＰＸа）は、第１スイッチング素子（Ｑа）と、第１液晶キャパシタ（Ｃｌｃа）と、第１保持キャパシタ（Ｃｓｔа）とを含む。第２サブピクセル（ＰＸｂ）は、第２及び第３スイッチング素子（Ｑｂ、Ｑｃ）と、第２液晶キャパシタ（Ｃｌｃｂ）と、第２保持キャパシタ（Ｃｓｔｂ）と、減圧キャパシタ（Ｃｓｔｄ）とを含む。
【００９８】
第１及び第２スイッチング素子（Ｑа、Ｑｂ）は各々、ゲートライン１２１及びデータライン１７１に連結される。第１及び第２スイッチング素子（Ｑа、Ｑｂ）は各々、薄膜トランジスタであり、第１及び第２スイッチング素子（Ｑа、Ｑｂ）の各々の制御端子は、ゲートライン１２１に連結され、第１及び第２スイッチング素子（Ｑа、Ｑｂ）の各々の入力端子は、データライン１７１に連結され、第１及び第２スイッチング素子（Ｑа、Ｑｂ）の各々の出力端子は、第１及び第２液晶キャパシタ（Ｃｌｃａ、Ｃｌｃｂ）、及び第１及び第２保持キャパシタ（Ｃｓｔａ、Ｃｓｔｂ）に各々連結される。
【００９９】
第３スイッチング素子（Ｑｃ）は、減圧ゲートライン１２３に連結される。第３スイッチング素子（Ｑｃ）も、薄膜トランジスタであり、第３スイッチング素子（Ｑｃ）の制御端子は、減圧ゲートライン１２３に連結され、第３スイッチング素子（Ｑｃ）の入力端子は、第２液晶キャパシタ（Ｃｌｃｂ）及び第２保持キャパシタ（Ｃｓｔｂ）に連結され、第３スイッチング素子（Ｑｃ）の出力端子は、減圧キャパシタ（Ｃｓｔｄ）に連結される。減圧キャパシタ（Ｃｓｔｄ）は、第３スイッチング素子（Ｑｃ）の出力端子と共通電圧との間に連結される。
【０１００】
図８のピクセル（ＰＸ）の動作について説明すると、まず、ゲートライン１２１にゲートオン電圧が印加されると、これに連結された第１及び第２スイッチング素子（Ｑа、Ｑｂ）が、ターンオンされる。これにより、データライン１７１のデータ電圧は、ターンオンされた第１及び第２スイッチング素子（Ｑа、Ｑｂ）を介して、第１及び第２液晶キャパシタ（Ｃｌｃа、Ｃｌｃｂ）に各々印加され、第１及び第２液晶キャパシタ（Ｃｌｃа、Ｃｌｃｂ）は、前記データ電圧に基づいて充電される。この時、減圧ゲートライン１２３には、ゲートオフ電圧が与えられる。次いで、ゲートライン１２１に前記ゲートオフ電圧が印加されると共に、減圧ゲートライン１２３に前記ゲートオン電圧が印加されると、ゲートライン１２１に連結された第１及び第２スイッチング素子（Ｑа、Ｑｂ）は、ターンオフされ、第３スイッチング素子（Ｑｃ）は、ターンオンされる。これにより、第２スイッチング素子（Ｑｂ）の出力端子に連結された第２液晶キャパシタ（Ｃｌｃｂ）の充電電圧が下降する。
図８のピクセル（ＰＸ）は、前記データ電圧の極性によらず、第２液晶キャパシタ（Ｃｌｃｂ）の充電電圧を、第１液晶キャパシタ（Ｃｌｃа）の充電電圧よりも常に低くするので、表示パネル１００の視認性を向上できる。
【０１０１】
図９に示すように、ピクセル（ＰＸ）は、ゲート信号を伝達するゲートライン１２１、データ信号を伝達するデータライン１７１、及び基準電圧を伝達する基準電圧ライン１７８を含む信号ラインに連結され、第１及び第２サブピクセル（ＰＸа、ＰＸｂ）を含む。
【０１０２】
第１サブピクセル（ＰＸа）は、第１スイッチング素子（Ｑа）、及び第１液晶キャパシタ（Ｃｌｃа）を含む。第２サブピクセル（ＰＸｂ）は、第２及び第３スイッチング素子（Ｑｂ、Ｑｃ）、及び第２液晶キャパシタ（Ｃｌｃｂ）を含む。
【０１０３】
第１及び第２スイッチング素子（Ｑа、Ｑｂ）は各々、ゲートライン１２１及びデータライン１７１に連結される。第１及び第２スイッチング素子（Ｑа、Ｑｂ）は各々、薄膜トランジスタであり、第１及び第２スイッチング素子（Ｑа、Ｑｂ）の各々の制御端子は、ゲートライン１２１に連結され、第１及び第２スイッチング素子（Ｑа、Ｑｂ）の各々の入力端子は、データライン１７１に連結され、第１スイッチング素子（Ｑа）の出力端子は、第１液晶キャパシタ（Ｃｌｃа）に連結され、第２スイッチング素子（Ｑｂ）の出力端子は、第２液晶キャパシタ（Ｃｌｃｂ）、及び第３スイッチング素子（Ｑｃ）の入力端子に連結される。
【０１０４】
第３スイッチング素子（Ｑｃ）は、第２スイッチング素子（Ｑｂ）の出力端子、及び基準電圧ライン１７８に連結される。第３スイッチング素子（Ｑｃ）も、薄膜トランジスタであり、第３スイッチング素子（Ｑｃ）の制御端子は、ゲートライン１２１に連結され、第３スイッチング素子（Ｑｃ）の入力端子は、第２液晶キャパシタ（Ｃｌｃｂ）に連結され、第３スイッチング素子（Ｑｃ）の出力端子は、基準電圧ライン１７８に連結される。
【０１０５】
図９のピクセル（ＰＸ）の動作について説明する。まず、ゲートライン１２１にゲートオン電圧が印加されると、これに連結された第１、第２及び第３スイッチング素子（Ｑа、Ｑｂ、Ｑｃ）がターンオンされる。これにより、データライン１７１に印加されたデータ電圧は、ターンオンされた第１及び第２スイッチング素子（Ｑа、Ｑｂ）を介して、第１及び第２液晶キャパシタ（Ｃｌｃа、Ｃｌｃｂ）に各々印加され、第１及び第２液晶キャパシタ（Ｃｌｃа、Ｃｌｃｂ）は、前記データ電圧に基づいて充電される。この時、第１及び第２液晶キャパシタ（Ｃｌｃа、Ｃｌｃｂ）には、第１及び第２スイッチング素子（Ｑа、Ｑｂ）を介して、同一のデータ電圧が伝達されるが、第２液晶キャパシタ（Ｃｌｃｂ）の充電電圧は、第２スイッチング素子（Ｑｂ）と第３スイッチング素子（Ｑｃ）との導通インピーダンスの比に応じて分圧された値となる。そこで、第２液晶キャパシタ（Ｃｌｃｂ）の充電電圧は、第１液晶キャパシタ（Ｃｌｃа）の充電電圧よりも小さくなるので、２つのサーブピクセル（ＰＸа、ＰＸｂ）の輝度が互いに異なる。
図９のピクセル（ＰＸ）においては、第１液晶キャパシタ（Ｃｌｃа）に充電される電圧と、第２液晶キャパシタ（Ｃｌｃｂ）に充電される電圧とを適切に調節して、表示パネル１００の視認性を向上できる。
【０１０６】
図１０に示すように、ピクセル（ＰＸ）は、第１及び第２データライン１７１а、１７１ｂとゲートライン１２１とを含む信号ラインに連結され、第１及び第２サブピクセル（ＰＸа、ＰＸｂ）を含む。
【０１０７】
第１サブピクセル（ＰＸа）は、第１スイッチング素子（Ｑа）と、第１液晶キャパシタ（Ｃｌｃа）と、第１保持キャパシタ（Ｃｓｔа）とを含む。第２サブピクセル（ＰＸｂ）は、第２スイッチング素子（Ｑｂ）と、第２液晶キャパシタ（Ｃｌｃｂ）と、第２保持キャパシタ（Ｃｓｔｂ）とを含む。
【０１０８】
第１スイッチング素子（Ｑа）は、ゲートライン１２１に連結される制御端子と、第１データライン１７１аに連結される入力端子と、第１液晶キャパシタ（Ｃｌｃа）及び第１保持キャパシタ（Ｃｓｔа）に連結される出力端子とを含む。第２スイッチング素子（Ｑｂ）は、ゲートライン１２１に連結される制御端子と、第２データライン１７１ｂに連結される入力端子と、第２液晶キャパシタ（Ｃｌｃｂ）及び第２保持キャパシタ（Ｃｓｔｂ）に連結される出力端子とを含む。
【０１０９】
図１０のピクセル（ＰＸ）においては、第１及び第２液晶キャパシタ（Ｃｌｃа、Ｃｌｃｂ）は、互いに異なるデータライン１７１а、１７１ｂに連結された第１及び第２スイッチング素子（Ｑа、Ｑｂ）を介して、１つの出力映像データに対する互いに異なるデータ電圧を各々、印加できる。
【０１１０】
図１１に示すように、ピクセル（ＰＸ）は、データライン１７１と、第１及び第２ゲートライン１２１а、１２１ｂとを含む信号ラインに連結され、第１及び第２サブピクセル（ＰＸа、ＰＸｂ）を含む。
【０１１１】
第１サブピクセル（ＰＸа）は、第１スイッチング素子（Ｑа）、第１液晶キャパシタ（Ｃｌｃа）、及び第１保持キャパシタ（Ｃｓｔа）を含む。第２サブピクセル（ＰＸｂ）は、第２スイッチング素子（Ｑｂ）、第２液晶キャパシタ（Ｃｌｃｂ）、及び第２保持キャパシタ（Ｃｓｔｂ）を含む。
【０１１２】
第１スイッチング素子（Ｑа）は、第１ゲートライン１２１аに連結される制御端子、データライン１７１に連結される入力端子、及び、第１液晶キャパシタ（Ｃｌｃа）と第１保持キャパシタ（Ｃｓｔа）とに連結される出力端子を含む。第２スイッチング素子（Ｑｂ）は、第２ゲート線１２１ｂに連結される制御端子、データライン１７１に連結される入力端子、及び、第２液晶キャパシタ（Ｃｌｃｂ）と第２保持キャパシタ（Ｃｓｔｂ）とに連結される出力端子を含む。
【０１１３】
第１及び第２液晶キャパシタ（Ｃｌｃа、Ｃｌｃｂ）は、互いに異なるゲートライン１２１а、１２１ｂに連結されている第１及び第２スイッチング素子（Ｑа、Ｑｂ）を介して、データライン１７１が伝達する１つの出力映像データに対する互いに異なるデータ電圧を、相異なる時間に印加できる。
【０１１４】
図１２に示すピクセル（ＰＸ）は、データライン１７１とゲートライン１２１とを含む信号ラインに連結され、第１及び第２サブピクセル（ＰＸа、ＰＸｂ）、及び２つのサブピクセル（ＰＸа、ＰＸｂ）の間に連結された結合キャパシタ（Ｃｃｐ）を含む。
【０１１５】
第１サブピクセル（ＰＸа）は、ゲートライン１２１及びデータライン１７１に連結されるスイッチング素子（Ｑ）、及びこれに連結された第１液晶キャパシタ（Ｃｌｃа）及び第１保持キャパシタ（Ｃｓｔа）を含む。第２サブピクセル（ＰＸｂ）は、結合キャパシタ（Ｃｃｐ）に連結される第２液晶キャパシタ（Ｃｌｃｂ）を含む。
【０１１６】
スイッチング素子（Ｑ）は、ゲートライン１２１に連結される制御端子、データライン１７１ラインに連結される入力端子、及び第１液晶キャパシタ（Ｃｌｃа）、第１保持キャパシタ（Ｃｓｔа）、及び結合キャパシタ（Ｃｃｐ）に連結される出力端子を含む。
【０１１７】
スイッチング素子（Ｑ）は、ゲートライン１２１からのゲート信号を受け取ると、データライン１７１のデータ電圧を、第１液晶キャパシタ（Ｃｌｃа）及び結合キャパシタ（Ｃｃｐ）に伝達し、結合キャパシタ（Ｃｃｐ）は、この電圧の大きさを変えて、第２液晶キャパシタ（Ｃｌｃｂ）に伝達する。  第１液晶キャパシタ（Ｃｌｃа）に充電された電圧（Ｖа）と、第２液晶キャパシタ（Ｃｌｃｂ）に充電された電圧（Ｖｂ）とは、以下の数式１のような関係を有する。
【０１１８】
［数式１］
Ｖｂ＝Ｖａ×［Ｃｃｐ／（Ｃｃｐ＋Ｃｌｃｂ）］
【０１１９】
前記の数式１において、Ｃｃｐは、結合キャパシタ（Ｃｃｐ）の静電容量、Ｃｌｃｂは、第２液晶キャパシタ（Ｃｌｃｂ）の静電容量である。そこで、第２液晶キャパシタ（Ｃｌｃｂ）に充電された電圧（Ｖｂ）は、第１液晶キャパシタ（Ｃｌｃа）に充電された電圧（Ｖа）と比較して、常に小さく、結合キャパシタ（Ｃｃｐ）の静電容量を適切に調節して、表示パネル１００の視認性を向上できる。
【０１２０】
図１３а及び１３ｂは、図７の構造を有する１つのピクセルが、ＴＧＭ方式に基づいて駆動される例を示す図である。
【０１２１】
図１３а及び１３ｂに示すピクセル（ＰＸ）は、２つのフレームを１フレームセットとして該フレームセットに基づき駆動される。前記１フレームセットに含まれる前記２つのフレームは、時間的に連続する。例えば、ピクセル（ＰＸ）は、第１フレームセット（ＦＳ１）の第１及び第２フレーム（Ｆ１、Ｆ２）の間に、前記第１出力映像の一部を表示し、第２フレームセット（ＦＳ２）の第３及び第４フレーム（Ｆ３、Ｆ４）の間に、前記第２出力映像の一部を表示することができる。この時、第１及び第２フレーム（Ｆ１、Ｆ２）の期間は、互いに異なり、第３及び第４フレーム（Ｆ３、Ｆ４）の期間は、互いに異なる。
【０１２２】
本実施例では、１フレームセットが含む２つのフレーム中の１フレームで、第１及び第２サブピクセル（ＰＸа、ＰＸｂ）は、第１ガンマ曲線（図４のＧＨ）による映像（Ｈ）を表示し、残りの１フレームで、第１及び第２サブピクセル（ＰＸа、ＰＸｂ）は、第２ガンマ曲線（図４のＧＬ）による映像（Ｌ）を表示する。言い換えれば、第１及び第２サブピクセル（ＰＸа、ＰＸｂ）に表示される部分映像は、同一のガンマ曲線に基づいている。
【０１２３】
具体的に、図１３аに示すように、第１及び第２サブピクセル（ＰＸа、ＰＸｂ）は、第１フレーム（Ｆ１）で第１部分映像（Ｈ）を表示し、第２フレーム（Ｆ２）で第２部分映像（Ｌ）を表示し、第３フレーム（Ｆ３）で第１部分映像（Ｈ）を表示し、第４フレーム（Ｆ４）で第２部分映像（Ｌ）を表示する。また、図１３ｂに示すように、第１及び第２サブピクセル（ＰＸа、ＰＸｂ）は、第１フレーム（Ｆ１）で第１部分映像（Ｈ）を表示し、第２フレーム（Ｆ２）で第２部分映像（Ｌ）を表示し、第３フレーム（Ｆ３）で第２部分映像（Ｌ）を表示し、第４フレーム（Ｆ４）で第１部分映像（Ｈ）を表示する。
【０１２４】
一方、図１９а乃至１９ｆを参照して後述するように、第１及び第２サブピクセル（ＰＸа、ＰＸｂ）に表示される部分映像は、互いに異なるガンマ曲線に基づく。
【０１２５】
図１４及び図１５は、本発明の実施例による表示装置の駆動方法を説明するための図である。  図１４及び図１５は、１つのフレームセットが４つのフレームを含む場合において、時間の経過、即ちフレームの経過に伴う表示パネルの輝度変化を示す。
【０１２６】
本発明の実施例による表示装置の駆動方法において、１つのフレームセット（例えば、図１４のＦＳА）に含まれる４つのフレーム（例えば、図１４のＦА、ＦＢ、ＦＣ及びＦＤ）中の一部は、互いに異なる期間を有し、本発明の実施例による表示装置は、ＴＭＤ方式に基づくと同時にＡＦＤ方式に基づいて動作する。
【０１２７】
図１及び１４に示すように、第１フレームセット（ＦＳА）は、互いに異なる期間を有する第１、第２、第３及び第４フレーム（ＦА、ＦＢ、ＦＣ、ＦＤ）を含む。例えば、第１、第２、第３及び第４フレーム（ＦА、ＦＢ、ＦＣ、ＦＤ）は、４つの時間的に順次連続するフレームである。
図示していないが、第１フレームセット（ＦＳА）に引き続く第２フレームセットは、互いに異なる期間を有する第５、第６、第７及び第８フレームを含む。例えば、前記第２フレームセットは、第１フレームセット（ＦＳА）に連続し、前記第５、第６、第７及び第８フレームは、４つの時間的に順次連続するフレームである。
【０１２８】
入力映像データ（ＩＤＡＴ）及び出力映像データ（ＤＡＴ）は、各フレームセットに対応する複数のデータを含む。例えば、入力映像データ（ＩＤＡＴ）は、第１フレームセット（ＦＳА）に対応する第１入力映像データ、及び前記第２フレームセットに対応する第２入力映像データを含む。出力映像データ（ＤＡＴ）は、第１フレームセット（ＦＳА）に対応する第１出力映像データ、及び前記第２フレームセットに対応する第２出力映像データを含む。
【０１２９】
タイミング制御回路２００は、前記第１入力映像データに基づいて、前記第１出力映像データを発生する。データ駆動回路５００は、少なくとも２つのガンマ曲線に対する情報を含む基準階調電圧（ＶＧ）、及び前記第１出力映像データに基づいて、各々複数個の、第１、第２、第３、及び第４データ電圧を発生する。
【０１３０】
表示パネル１００は、第１フレームセット（ＦＳА）の間に、前記第１出力映像データに基づいて第１出力映像を表示する。具体的に、表示パネル１００は、前記第１出力映像データに基づいて（例えば、前記複数の第１データ電圧に基づいて）、第１フレーム（ＦА）の間に第１映像を表示し、前記第１出力映像データに基づいて（例えば、前記複数の第２データ電圧に基づいて）、第１フレーム（ＦА）と異なる期間を有する第２フレーム（ＦＢ）の間に、前記第１映像と異なる階調を有する第２映像を表示し、前記第１出力映像データに基づいて（例えば、前記複数の第３データ電圧に基づいて）、第２フレーム（ＦＢ）と異なる期間を有する第３フレーム（ＦＣ）の間に、前記第２映像と異なる階調を有する第３映像を表示し、前記第１出力映像データに基づいて（例えば、前記複数の第４データ電圧に基づいて）、第３フレーム（ＦＣ）と異なる期間を有する第４フレーム（ＦＤ）の間に、前記第３映像と異なる階調を有する第４映像を表示する。前記第１出力映像は、前記第１映像、前記第２映像、前記第３映像、及び前記第４映像からなる。言い換えれば、前記第１出力映像は、互いに異なる階調を有する前記第１、第２、第３及び第４映像の組み合わせにより、表示パネル１００に表示される。
【０１３１】
図１４の実施例において、第１フレーム（ＦА）の期間は、第２フレーム（ＦＢ）の期間よりも長い。例えば、前記第１フレーム（ＦА）の期間は、第１フレームセット（ＦＳА）の１／４期間（ＱＦ）よりも△Ｆ分だけ長く、前記第２フレーム（ＦＢ）の期間は、前記第１フレームセット（ＦＳА）の１／４期間（ＱＦ）よりも△Ｆ分だけ短い。また、第３フレーム（ＦＣ）の期間は、第４フレーム（ＦＤ）の期間よりも長い。
【０１３２】
第１及び第３フレーム（ＦА、ＦＣ）の間に、表示パネル１００に含まれる液晶に対する立ち上がり応答が行われ、第２及び第４フレーム（ＦＢ、ＦＤ）の間に、前記液晶に対する立ち下がり応答が行われる。
前記第１フレーム（ＦА）の期間と前記第２フレーム（ＦＢ）の期間との和の半分が、前記液晶の基準立ち下がり時間よりも大きいか、同一である場合に、図１４においてＣＡＳＥ３として示すように、前記第１フレームの期間（ＦА）が、前記第２フレーム（ＦＢ）の期間よりも長く設定される。
図１４においてＣＡＳＥ４として示す対称フレーム分割方式と比較すると、ＡＦＤ方式（ＣＡＳＥ３）の場合には、基準立ち下がり時間をロスすることなく立ち上がり応答時間を増加できる。
【０１３３】
１実施例において、図１４に示すように、第３及び第４フレーム（ＦＣ、ＦＤ）の期間は、前記第１及び第２フレーム（ＦА、ＦＢ）の期間と各々実質的に同一である。図１４に示していない他の実施例において、第３及び第４フレーム（ＦＣ、ＦＤ）の期間は、前記第１及び第２フレーム（ＦА、ＦＢ）の期間と互いに異なる。
【０１３４】
図示してはいないが、前記第２フレームセットでの動作は、第１フレームセット（ＦＳА）での動作と実質的に同一である。例えば、タイミング制御回路２００は、前記第２入力映像データに基づいて、前記第２出力映像データを発生する。表示パネル１００は、前記第２フレームセットの間に、前記第２出力映像データに基づいて、第２出力映像を表示する。具体的に、表示パネル１００は、前記第２出力映像データに基づいて、前記第５、第６、第７及び第８フレームの間に、第５、第６、第７及び第８映像を各々表示する。前記第２出力映像は、互いに異なる階調を有する前記第５、第６、第７及び第８映像の組み合わせにより、表示パネル１００に表示される。
【０１３５】
図１及び１５に示すように、第１フレームセット（ＦＳА’）は、互いに異なる期間を有する第１、第２、第３及び第４フレーム（ＦА’、ＦＢ’、ＦＣ’、ＦＤ’）を含む。例えば、第１、第２、第３及び第４フレーム（ＦА’、ＦＢ’、ＦＣ’、ＦＤ’）は、連続する。図示してはいないが、第１フレームセット（ＦＳА’）に引き続く第２フレームセットは、互いに異なる期間を有する第５、第６、第７及び第８フレームを含む。例えば、前記第２フレームセットは、第１フレームセット（ＦＳА’）に連続し、前記第５、第６、第７及び第８フレームは、４つの時間的に順次連続するフレームである。
【０１３６】
図１５の実施例は、フレーム構成が相違することを除くと、図１４の実施例と類似する。タイミング制御回路２００は、第１フレームセット（ＦＳА’）に対応する第１入力映像データに基づいて、第１出力映像データを発生する。
表示パネル１００は、第１フレームセット（ＦＳА’）の間に、前記第１出力映像データに基づいて第１出力映像を表示する。具体的に、表示パネル１００は、前記第１出力映像データに基づいて、第１、第２、第３及び第４フレーム（ＦА’、ＦＢ’、ＦＣ’、ＦＤ’）の間に、第１、第２、第３及び第４映像を各々表示する。前記第１出力映像は、互いに異なる階調を有する前記第１、第２、第３及び第４映像の組み合わせにより、表示パネル１００に表示される。また、タイミング制御回路２００は、前記第２フレームセットに対応する第２入力映像データに基づいて、第２出力映像データを発生する。表示パネル１００は、前記第２フレームセットの間に、前記第２出力映像データに基づいて、第２出力映像を表示する。具体的に、表示パネル１００は、前記第２出力映像データに基づいて、前記第５、第６、第７及び第８フレームの間に、第５、第６、第７及び第８映像を各々表示する。前記第２出力映像は、互いに異なる階調を有する前記第５、第６、第７及び第８映像の組み合わせにより、表示パネル１００に表示される。
【０１３７】
図１５の実施例において、第１フレーム（ＦА’）の期間は、第２フレーム（ＦＢ’）の期間よりも短い。例えば、前記第１フレーム（ＦА’）の期間は、第１フレームセット（ＦＳА’）の１／４期間（ＱＦ’）よりも△Ｆ’分だけ短く、前記第２フレーム（ＦＢ’）の期間は、前記第１フレームセット（ＦＳА’）の１／４期間（ＱＦ’）よりも△Ｆ’分だけ長い。また、第３フレーム（ＦＣ’）の期間は、第４フレーム（ＦＤ’）の期間よりも短い。
【０１３８】
第１及び第３フレーム（ＦА’、ＦＣ’）の間に、表示パネル１００に含まれる液晶に対する立ち上がり応答が行われ、第２及び第４フレーム（ＦＢ’、ＦＤ’）の間に、前記液晶に対する立ち下がり応答が行われる。前記第１フレーム（ＦА’）の期間と前記第２フレーム（ＦＢ’）の期間との和の半分が、前記液晶の基準立ち下がり時間より小さい場合に、図１５においてＣＡＳＥ３’として示すように、前記第１フレームの期間（ＦА’）が、前記第２フレーム（ＦＢ’）の期間よりも短く設定される。  
図１５においてＣＡＳＥ４’として示す対称フレーム分割方式と比較すると、ＡＦＤ方式（ＣＡＳＥ３）の場合には、基準立ち下がり時間に可能な限り近く立ち下がり応答時間を設定できる。
【０１３９】
以下では、図１６乃至１７を参照して、本発明の実施例による表示装置に適用される前記ＴＧＭ方式について、詳しく説明することにする。
図１６は、図５の構造を有する１つのピクセルが、ＴＧＭ方式に基づいて駆動される例を示す図である。図１７а及び１７ｂは、図５の構造を有する複数のピクセルが、ＴＧＭ方式に基づいて駆動される例を示す図である。
【０１４０】
図１６に示すように、ピクセル（ＰＸ）は、連続する４つのフレームを１フレームセットとして駆動される。例えば、ピクセル（ＰＸ）は、第１フレームセット（ＦＳА）の第１、第２、第３及び第４フレーム（ＦА、ＦＢ、ＦＣ、ＦＤ）の間に、前記第１出力映像の一部を表示する。この時、第１及び第２フレーム（ＦА、ＦＢ）の期間は互いに異なり、第２及び第３フレーム（ＦＢ、ＦＣ）の期間は互いに異なり、第３及び第４フレーム（ＦＣ、ＦＤ）の期間は互いに異なり得る。
【０１４１】
１フレームセットが含む４つのフレーム中の１フレームでピクセル（ＰＸ）は、第１ガンマ曲線（図４のＧＨ）による映像（Ｈ）を表示し、残りの３つのフレームでピクセル（ＰＸ）は、第２ガンマ曲線（図４のＧＬ）による映像（Ｌ）を表示する。
【０１４２】
具体的に、図１６に示すように、第１フレーム（ＦА）の間に、ピクセル（ＰＸ）に提供される第１データ電圧は、第１ガンマ曲線（図４のＧＨ）に基づいて発生し、第２、第３及び第４フレーム（ＦＢ、ＦＣ、ＦＤ）の間にピクセル（ＰＸ）に提供される第２、第３及び第４データ電圧は、第２ガンマ曲線（図４のＧＬ）に基づいて発生する。言い換えれば、ピクセル（ＰＸ）は、第１フレーム（ＦА）で第１部分映像（Ｈ）を表示し、第２、第３及び第４フレーム（ＦＢ、ＦＣ、ＦＤ）で第２部分映像（Ｌ）を表示する。
【０１４３】
図示していないが、上記第１フレームセット（ＦＳＡ）に引き続く第２フレームセットの間に、ピクセル（ＰＸ）は、上記第１フレームセット（ＦＳＡ）の第１乃至第４フレーム（ＦА〜ＦＤ）と同じく、Ｈ、Ｌ、Ｌ、Ｌの順に部分映像を表示するか、又は、該第１乃至第４フレーム（ＦА〜ＦＤ）と異なり、Ｌ、Ｌ、Ｌ、Ｈの順に部分映像を表示する。また、図示していないが、第１乃至第４フレーム（ＦА〜ＦＤ）は、Ｈ、Ｌ、Ｈ、Ｌの順に部分映像を表示する場合もある。
【０１４４】
図１７а及び１７ｂに示すように、複数（本実施例では４つ）のピクセル（ＰＸ１、ＰＸ２、ＰＸ３、ＰＸ４）が１つのピクセルグループ（ＰＧ１）を形成し、ピクセル（ＰＸ１、ＰＸ２、ＰＸ３、ＰＸ４）の各々は、連続する４つのフレームを１フレームセットとして駆動される。例えば、ピクセル（ＰＸ１、ＰＸ２、ＰＸ３、ＰＸ４）の各々は、第１フレームセット（ＦＳА）の第１、第２、第３及び第４フレーム（ＦА、ＦＢ、ＦＣ、ＦＤ）の間に、前記第１出力映像の一部を表示する。この時、第１及び第２フレーム（ＦА、ＦＢ）の期間は互いに異なり、第３及び第４フレーム（ＦＣ、ＦＤ）の期間は互いに異なり得る。
【０１４５】
図１７аの実施例においては、１つのピクセルグループ（ＰＧ１）に含まれるピクセル（ＰＸ１、ＰＸ２、ＰＸ３、ＰＸ４）は、ＴＧＭ方式に基づいて駆動され、いずれも、同一のシーケンス（ｓｅｑｕｅｎｃｅ）で駆動される。具体的に、図１６のピクセル（ＰＸ）と同様に、ピクセルグループ（ＰＧ１）内のピクセル（ＰＸ１、ＰＸ２、ＰＸ３、ＰＸ４）の各々は、第１フレーム（ＦА）で第１部分映像（Ｈ）を表示し、第２フレーム（ＦＢ）で第２部分映像（Ｌ）を表示し、第３フレーム（ＦＣ）で第２部分映像（Ｌ）を表示し、第４フレーム（ＦＤ）で第２部分映像（Ｌ）を表示する。
【０１４６】
他方、図１７ｂの実施例においては、１つのピクセルグループ（ＰＧ１）に含まれるピクセル（ＰＸ１、ＰＸ２、ＰＸ３、ＰＸ４）もＴＧＭ方式に基づいて駆動されるが、互いに異なるシーケンスで駆動される。言い換えれば、図１７ｂの実施例は、ＴＧＭ方式及び交差配置駆動（空間的ガンマミキシング、Ｓｐａｔｉａｌ  Ｇａｍｍａ  Ｍｉｘｉｎｇ、ＳＧＭ）方式に基づいて駆動される。
【０１４７】
具体的に、第１フレーム（ＦА）の間に、ピクセルグループ（ＰＧ１）内のピクセル（ＰＸ１、ＰＸ４）に提供される第１データ電圧は、第１ガンマ曲線（図５のＧＨ）に基づいて発生し、第２、第３及び第４フレーム（ＦＢ、ＦＣ、ＦＤ）の間に、ピクセル（ＰＸ１、ＰＸ４）に提供される第２、第３及び第４データ電圧は、第２ガンマ曲線（図５のＧＬ）に基づいて発生する。言い換えれば、ピクセル（ＰＸ１、ＰＸ４）は、第１フレーム（ＦА）で第１部分映像（Ｈ）を表示し、第２、第３及び第４フレーム（ＦＢ、ＦＣ、ＦＤ）で第２部分映像（Ｌ）を表示する。
また、第３フレーム（ＦＣ）の間に、ピクセルグループ（ＰＧ１）内のピクセル（ＰＸ２、ＰＸ３）に提供される第７データ電圧は、第１ガンマ曲線（図５のＧＨ）に基づいて発生し、第１、第２及び第４フレーム（ＦА、ＦＢ、ＦＤ）の間にピクセル（ＰＸ２、ＰＸ３）に提供される第５、第６及び第８データ電圧は、第２ガンマ曲線（図５のＧＬ）に基づいて発生する。言い換えれば、ピクセル（ＰＸ２、ＰＸ３）は、第３フレーム（ＦＣ）で第１部分映像（Ｈ）を表示し、第１、第２及び第４フレーム（ＦА、ＦＢ、ＦＤ）で第２部分映像（Ｌ）を表示する。前記のようなＳＧＭ方式により、視認性及びフリッカ（ｆｌｉｃｋｅｒ）を改善できる。
【０１４８】
以下では、図１８、図１９ａ乃至１９ｆ、及び図２０ａ乃至２０ｃを参照して、前記ＴＧＭ方式の他の例について、詳しく説明する。
【０１４９】
図１８は、本発明の実施例による表示装置において、基準階調電圧の発生に用いられるガンマ曲線の一例を示すグラフである。
【０１５０】
図１及び１８に示すように、基準階調電圧（ＶＧ）は、３つのガンマ曲線（ＧＨ、ＧＭ、ＧＬ）に基づいて発生する。第１ガンマ曲線（ＧＨ）による映像の輝度は、第３ガンマ曲線（ＧＭ）による映像の輝度よりも高いか、同一であり、第３ガンマ曲線（ＧＭ）による映像の輝度は、第２ガンマ曲線（ＧＬ）による映像の輝度よりも高いか、同一である。第１、第２及び第３ガンマ曲線（ＧＨ、ＧＭ、ＧＬ）の合成ガンマ曲線が、表示パネル１００の表示品質を実質的に最大化するように定められた基準ガンマ曲線（Ｇｆ）に一致するように、第１、第２及び第３ガンマ曲線（ＧＨ、ＧＭ、ＧＬ）が調整される。
その際、前記合成ガンマ曲線が最大値の近傍で変曲点を有することなく、基準ガンマ曲線（Ｇｆ）に近づけるように、第１、第２及び第３ガンマ曲線（ＧＨ、ＧＭ、ＧＬ）を調整すると、表示品質を向上できる。
【０１５１】
１実施例において、表示装置１０は、第１、第２及び第３ガンマ曲線（ＧＨ、ＧＭ、ＧＬ）に対するガンマデータを格納する格納部（図示せず）を更に含む。
【０１５２】
図１９а、１９ｂ、１９ｃ、１９ｄ、１９ｅ及び１９ｆは、図７の構造を有する１つのピクセルが、ＴＧＭ方式に基づいて駆動される例を示す図である。
【０１５３】
図１９а、１９ｂ、１９ｃ、１９ｄ、１９ｅ及び１９ｆに示すように、１つのピクセル（ＰＸ）は、時間的に連続する２つのフレームを１フレームセットとして駆動される。例えば、該ピクセル（ＰＸ）は、第１フレームセット（ＦＳ１）の第１及び第２フレーム（Ｆ１、Ｆ２）の間に、前記第１出力映像の一部を表示し、第２フレームセット（ＦＳ２）の第３及び第４フレーム（Ｆ３、Ｆ４）の間に、前記第２出力映像の一部を表示する。この時、第１及び第２フレーム（Ｆ１、Ｆ２）の期間は、互いに異なり、第３及び第４フレーム（Ｆ３、Ｆ４）の期間は、互いに異なり得る。
【０１５４】
図１９аに示すように、１フレームセットが含む２つのフレーム中の１フレームで第１サブピクセル（ＰＸа）は、第１ガンマ曲線（図１８のＧＨ）による第１部分映像（Ｈ）を表示し、第２サブピクセル（ＰＸｂ）は、第３ガンマ曲線（図１８のＧＭ）による第３部分映像（Ｍ）を表示し、残りの１フレームで第１サブピクセル（ＰＸа）及び第２サブピクセル（ＰＸｂ）は、第２ガンマ曲線（図１８のＧＬ）による第２部分映像（Ｌ）を表示する。
【０１５５】
図１９ｂに示すように、１フレームセットが含む２つのフレーム中の１フレームで第１サブピクセル（ＰＸа）は、第１ガンマ曲線（図１８のＧＨ）による第１部分映像（Ｈ）を表示し、第２サブピクセル（ＰＸｂ）は、第２ガンマ曲線（図１８のＧＬ）による第２部分映像（Ｌ）を表示し、残りの１フレームで第１サブピクセル（ＰＸа）は、第３ガンマ曲線（図１８のＧＭ）による第３部分映像（Ｍ）を表示し、第２サブピクセル（ＰＸｂ）は、第２ガンマ曲線（図１８のＧＬ）による第２部分映像（Ｌ）を表示する。
【０１５６】
図１９ｃに示すように、１フレームセットが含む２つのフレーム中の１フレームで第１サブピクセル（ＰＸа）は、第２ガンマ曲線（図１８のＧＬ）による第２部分映像（Ｌ）を表示し、第２サブピクセル（ＰＸｂ）は、第１ガンマ曲線（図１８のＧＨ）による第１部分映像（Ｈ）を表示し、残りの１フレームで第１サブピクセル（ＰＸа）は、第３ガンマ曲線（図１８のＧＭ）による第３部分映像（Ｍ）を表示し、第２サブピクセル（ＰＸｂ）は、第２ガンマ曲線（図１８のＧＬ）による第２部分映像（Ｌ）を表示する。
【０１５７】
図１９ｄに示すように、１フレームセットが含む２つのフレーム中の１フレームで第１サブピクセル（ＰＸа）は、第１ガンマ曲線（図１８のＧＨ）による第１部分映像（Ｈ）を表示し、第２サブピクセル（ＰＸｂ）は、第３ガンマ曲線（図１８のＧＭ）による第３部分映像（Ｍ）を表示し、残りの１フレームで第１サブピクセル（ＰＸа）は、第３ガンマ曲線（図１８のＧＭ）による第３部分映像（Ｍ）を表示し、第２サブピクセル（ＰＸｂ）は、第２ガンマ曲線（図１８のＧＬ）による第２部分映像（Ｌ）を表示する。
【０１５８】
図１９ｅに示すように、１フレームセットが含む２つのフレーム中の１フレームで第１サブピクセル（ＰＸа）は、第１ガンマ曲線（図１８のＧＨ）による第１部分映像（Ｈ）を表示し、第２サブピクセル（ＰＸｂ）は、第３ガンマ曲線（図１８のＧＭ）による第３部分映像（Ｍ）を表示し、残りの１フレームで第１サブピクセル（ＰＸа）は、第２ガンマ曲線（図１８のＧＬ）による第２部分映像（Ｌ）を表示し、第２サブピクセル（ＰＸｂ）は、第３ガンマ曲線（図１８のＧＭ）による第３部分映像（Ｍ）を表示する。
【０１５９】
図１９ｆに示すように、１フレームセットが含む２つのフレーム中の１フレームで第１サブピクセル（ＰＸа）は、第３ガンマ曲線（図１８のＧＭ）による第３部分映像（Ｍ）を表示し、第２サブピクセル（ＰＸｂ）は、第１ガンマ曲線（図１８のＧＨ）による第１部分映像（Ｈ）を表示し、残りの１フレームで第１サブピクセル（ＰＸа）は、第３ガンマ曲線（図１８のＧＭ）による第３部分映像（Ｍ）を表示し、第２サブピクセル（ＰＸｂ）は、第２ガンマ曲線（図１８のＧＬ）による第２部分映像（Ｌ）を表示する。
【０１６０】
上述したように、ＴＧＭ方式及び空間分割駆動方式を共に適用する場合に、２つのサブピクセル（ＰＸа、ＰＸｂ）に対して、連続したフレームで互いに異なるガンマ曲線による映像を表示し、これらの合成ガンマ曲線が、基準ガンマ曲線（図１８のＧｆ）に実質的に近づけるように調節することで、視認性及び透過率を向上できる。
【０１６１】
図示していないが、図１９а乃至１９ｆにおいて、第２フレームセット（ＦＳ２）に属する第３フレーム（Ｆ３）と第４フレーム（Ｆ４）の順番が変更される場合もあり、第２フレームセット（ＦＳ２）に引き続く２つのフレームセットにおいて、部分映像の表示順番が変更される場合もある。また、図示していないが、図７の構造を有する１つのピクセルが、ＴＧＭ方式に基づいて駆動される場合に、連続する４つのフレームを１フレームセットとして駆動される場合もある。
【０１６２】
図２０а、２０ｂ及び２０ｃは、図５の構造を有する１つのピクセルが、ＴＧＭ方式に基づいて駆動される例を示す図である。
【０１６３】
図２０а、２０ｂ及び２０ｃに示す実施例においては、ピクセル（ＰＸ）は、連続する３つのフレームが１フレームセットとして駆動される。例えば、ピクセル（ＰＸ）は、第１フレームセット（ＦＳа）の第１、第２及び第３フレーム（Ｆа、Ｆｂ、Ｆｃ）の間に、前記第１出力映像の一部を表示し、第２フレームセット（ＦＳｂ）の第４、第５及び第６フレーム（Ｆｄ、Ｆｅ、Ｆｆ）の間に、前記第２出力映像の一部を表示する。この時、第１、第２及び第３フレーム（Ｆа、Ｆｂ、Ｆｃ）の期間は、互いに異なり、第４、第５及び第６フレーム（Ｆｄ、Ｆｅ、Ｆｆ）の期間は、互いに異なり得る。
【０１６４】
１フレームセットが含む３つのフレーム中の１フレームでピクセル（ＰＸ）は、第１ガンマ曲線（図４のＧＨ）による第１部分映像（Ｈ）を表示し、残りの２つのフレームでピクセル（ＰＸ）は、第２ガンマ曲線（図４のＧＬ）による第２部分映像（Ｌ）を表示する。
【０１６５】
具体的に、図２０аに示すように、ピクセル（ＰＸ）は、フレームセット（ＦＳа、ＦＳｂ）各々の第１のフレームである第１及び第４フレーム（Ｆа、Ｆｄ）で第１部分映像（Ｈ）を表示し、残りの２つのフレーム（Ｆｂ、Ｆｃ、Ｆｅ、Ｆｆ）で第２部分映像（Ｌ）を表示する。  図２０ｂに示すように、連続した２つのフレームセット（ＦＳа、ＦＳｂ）において、第１部分映像（Ｈ）及び第２部分映像（Ｌ）をピクセル（ＰＸ）に表示する順番が互いに逆であり得る。  図２０ｃに示すように、ピクセル（ＰＸ）は、フレームセット（ＦＳа、ＦＳｂ）各々の第２のフレームである第２及び第５フレーム（Ｆｂ、Ｆｅ）で、第１部分映像（Ｈ）を表示し、残りの２つのフレーム（Ｆа、Ｆｃ、Ｆｄ、Ｆｆ）で、第２部分映像（Ｌ）を表示できる。
【０１６６】
図２１は、本発明の実施例による表示装置に含まれる表示パネルの動作を説明するための平面図である。
【０１６７】
図１及び２１に示すように、本発明の実施例による表示パネル１００は、反転駆動方式に基づいて駆動される。前記反転駆動方式は、複数のピクセル（ＰＸ）の各々に与えられるデータ電圧を、共通電圧に対して一定の期間毎に位相を反転させる方式を示す。前記のような反転駆動方式により、液晶特性の劣化を防止できる。例えば、図２１に示すように、表示パネル１００は、データ電圧の極性をピクセル単位に反転させる方式に基づいて駆動される。
【０１６８】
図２１には示していないが別の実施例によれば、表示パネル１００は、データ電圧の極性を、ライン単位（即ち、行（ｒｏｗ）毎に又は列（ｃｏｌｕｍｎ）毎に）で反転させる方式に基づいて駆動される。
【０１６９】
図２２а及び２２ｂは、本発明の実施例による表示装置に含まれる表示パネルのドット構造を説明するための平面図である。
【０１７０】
図１及び２２ａに示すように、ドット（ＤＯＴ１）は、第１ピクセル（ＰＸ１１）、第２ピクセル（ＰＸ１２）、及び第３ピクセル（ＰＸ１３）を含む。第１ピクセル（ＰＸ１１）は、赤色光を出力する赤色ピクセルであり、第２ピクセル（ＰＸ１２）は、緑色光を出力する緑色ピクセルであり、第３ピクセル（ＰＸ１３）は、青色光を出力する青色ピクセルである。この場合、表示パネル１００に含まれる全てのドットは、ドット（ＤＯＴ１）と実質的に同一の構造を有する。
【０１７１】
１実施例において、１つのドットに含まれる３つのピクセルは、同一のガンマ曲線に従う映像を表示し、隣接する２つのドットは互いに異なるガンマ曲線に従う。例えば、ドット（ＤＯＴ１）に含まれるピクセル（ＰＸ１１、ＰＸ１２、ＰＸ１３）は、第１ガンマ曲線（図４のＧＨ）による映像（Ｈ）を表示し、ドット（ＤＯＴ１）に隣接する他のドットに含まれるピクセルは、第２ガンマ曲線（図４のＧＬ）による映像（Ｌ）を表示する。
【０１７２】
図１及び２２ｂに示すように、ドット（ＤＯＴА）は、第１ピクセル（ＰＸ１１）及び第２ピクセル（ＰＸ１２）を含み、ドット（ＤＯＴＢ）は、第３ピクセル（ＰＸ１３）及び第４ピクセル（ＰＸ１４）を含む。第１ピクセル（ＰＸ１１）は、赤色光を出力する赤色ピクセルであり、第２ピクセル（ＰＸ１２）は、緑色光を出力する緑色ピクセルであり、第３ピクセル（ＰＸ１３）は、青色光を出力する青色ピクセルであり、第４ピクセル（ＰＸ１４）は、白色光を出力する白色ピクセルである。この場合、表示パネル１００に含まれるドットの一部は、ドット（ＤＯＴА）と実質的に同一の構造を有し、残りは、ドット（ＤＯＴＢ）と実質的に同一の構造を有する。
【０１７３】
１実施例において、１つのドットに含まれる２つのピクセルは、同一のガンマ曲線に従う映像を表示し、隣接する２つのドットは互いに異なるガンマ曲線に従う。例えば、ドット（ＤＯＴА）に含まれるピクセル（ＰＸ１１、ＰＸ１２）は、第１ガンマ曲線（図４のＧＨ）による映像（Ｈ）を表示し、ドット（ＤＯＴА）に隣接するドット（ＤＯＴＢ）に含まれるピクセル（ＰＸ１３、ＰＸ１４）は、第２ガンマ曲線（図４のＧＬ）による映像（Ｌ）を表示する。
【０１７４】
以上、特定のＴＧＭ方式、特定の空間分割駆動方式、特定のＳＧＭ方式、及び特定のピクセル／パネル構造に基づいて、本発明の実施例による表示装置及びその駆動方法（例えば、ＡＦＤ方式）を説明したが、本発明の実施例は、様々な駆動方式及びピクセル／パネル構造を有する任意の表示装置に対しても適用可能である。
【産業上の利用可能性】
【０１７５】
本発明は、表示装置及びこれを含む様々な装置及びシステムに適用可能である。即ち、本発明は、携帯電話、スマートフォン、ＰＤА、ＰＭＰ、デジタルカメラ、カムコーダ、ＰＣ、サーバコンピュータ、ワークステーション、ノート型ＰＣ、デジタルＴＶ、セットトップボックス、音楽再生機、ポータブルゲームコンソール、ナビゲーションシステム、スマートカード、プリンタなどの様々な電子機器において利用可能である。
【０１７６】
前記では、本発明の望ましい実施例を参照して説明したが、当該技術分野の熟練した当業者には、以下の特許請求の範囲に記載された本発明の思想及び領域から逸脱しない範囲内で、本発明を様々に修正・変更できることが理解されるだろう。
【符号の説明】
【０１７７】
１０      表示装置
１００      表示パネル
１２１      ゲートライン
１２１ａ、１２１ｂ      第１、第２ゲートライン
１２３      減圧ゲートライン
１７１      データライン
１７１ａ、１７１ｂ      第１、第２データライン
１７８      基準電圧ライン
２００      タイミング制御回路
３００      ゲート駆動回路
４００      階調電圧発生回路
５００      データ駆動回路
ＡＦＤ      非対称フレーム分割
Ｂ、Ｇ、Ｒ          青色、緑色、赤色階調データ
Ｃｃｐ      結合キャパシタ
Ｃｌｃａ、Ｃｌｃｂ        第１、第２液晶キャパシタ
Ｃｓｔａ、Ｃｓｔｂ        第１保持、第２保持キャパシタ
Ｃｓｔｄ        減圧キャパシタ
ＣＯＮＴ１、ＣＯＮＴ２、ＣＯＮＴ３    第１、第２、第３制御信号
Ｄ１        第１方向
Ｄ２        第２方向
ＤＡＴ      出力映像データ
ＤＣＣ      ダイナミックキャパシタンス補償
ＤＬ        データライン
ＤＯＴ１、ＤＯＴＡ、ＤＯＴＢ        ドット
Ｆ１、Ｆ２、Ｆ３、Ｆ４        第１、第２、第３、第４フレーム
Ｆ１’、Ｆ２’、Ｆ３’、Ｆ４’        第１、第２、第３、第４フレーム
ＦＡ、ＦＢ、ＦＣ、ＦＤ        第１、第２、第３、第４フレーム
ＦＡ’、ＦＢ’、ＦＣ’、ＦＤ’        第１、第２、第３、第４フレーム
Ｆａ、Ｆｂ、Ｆｃ、Ｆｄ、Ｆｅ、Ｆｆ      第１、第２、第３、第４、第５、第６フレーム
ＦＳ１、ＦＳ２      第１、第２フレームセット
ＦＳ１’、ＦＳ２      第１、第２フレームセット
ＦＳＡ      フレームセット、第１フレームセット
ＦＳＡ’      第１フレームセット
ＦＳａ、ＦＳｂ      第１、第２フレームセット
Ｇｆ        基準ガンマ曲線
ＧＨ、ＧＬ、ＧＭ        第１、第２、第３ガンマ曲線
ＧＬ        ゲートライン
Ｈ、Ｌ、Ｍ          第１、第２、第３部分映像
ＨＦ        半分期間
ＩＣＯＮＴ  入力制御信号
ＩＤＡＴ    入力映像データ
ＰＥ        ピクセル電極
ＰＧ１      ピクセルグループ
ＰＸ、ＰＸ１、ＰＸ２、ＰＸ３、ＰＸ４        ピクセル
ＰＸ１１、ＰＸ１２、ＰＸ１３、ＰＸ１４        ピクセル
ＰＸａ、ＰＸｂ      第１、第２サブピクセル
Ｑ          スイッチング素子
Ｑａ、Ｑｂ、Ｑｃ      第１、第２、第３スイッチング素子
ＱＦ，ＱＦ’      １／４期間
ＳＧＭ      交差配置駆動（空間的ガンマミキシング）
ＴＧＭ      時間分割駆動（時間的ガンマミキシング）
ＶＧ        基準階調電圧
【図１】
2017009987.tif 000003
【図２】
2017009987.tif 000004
【図３】
2017009987.tif 000005
【図４】
2017009987.tif 000006
【図５】
2017009987.tif 000007
【図６】
2017009987.tif 000008
【図７】
2017009987.tif 000009
【図８】
2017009987.tif 000010
【図９】
2017009987.tif 000011
【図１０】
2017009987.tif 000012
【図１１】
2017009987.tif 000013
【図１２】
2017009987.tif 000014
【図１３】
2017009987.tif 000015
【図１４】
2017009987.tif 000016
【図１５】
2017009987.tif 000017
【図１６】
2017009987.tif 000018
【図１７】
2017009987.tif 000019
【図１８】
2017009987.tif 000020
【図１９】
2017009987.tif 000021
【図２０】
2017009987.tif 000022
【図２１】
2017009987.tif 000023
【図２２】
2017009987.tif 000024